(57)【要約】  可動接点体は導光シートと、カバーシートと、可動接点と、光透過性の導光部とを有する。導光シートはフィルム状の基材と、この基材に凹凸状に設けられた発光部とを含む。カバーシートは基材と対向して設けられている。金属薄板製の可動接点は、発光部に対応する位置で、カバーシートに装着され、ドーム状で弾性を有する。導光部は、カバーシートにおける、可動接点の配設箇所を除いた位置、または導光シートの発光部の配設箇所を除いた位置に設けられている。なお導光部を導光シートに設ける場合はカバーシートを用いずに可動接点を導光シートに装着してもよい。
2009107344.tif 000002
【特許請求の範囲】
【請求項１】
フィルム状の基材と、
前記基材に凹凸状に設けられた発光部と、を含む導光シートと、
前記基材と対向して設けられたカバーシートと、
前記発光部に対応する位置で、前記カバーシートに装着され、ドーム状で弾性を有する金属薄板製の可動接点と、
前記カバーシートにおける、前記可動接点の配設箇所を除いた位置、または前記導光シートの前記発光部の配設箇所を除いた位置に設けられた光透過性の導光部と、を備えた、
可動接点体。
【請求項２】
前記導光部は複数の導光部の１つであり、前記複数の導光部同士を連結する光透過性の連結部をさらに有する、
請求項１記載の可動接点体。
【請求項３】
前記導光部が、
帯状部と、
前記帯状部から突出する凸部と、を有する、
請求項１記載の可動接点体。
【請求項４】
前記発光部は複数の発光部の１つであり、前記凸部が前記複数の発光部のうち、斜めに隣り合う２つの発光部の間を埋めるように設けられた、
請求項３記載の可動接点体。
【請求項５】
前記導光部が前記発光部を囲むように設けられた、
請求項１記載の可動接点体。
【請求項６】
前記導光部はＬ字形状であり、前記可動接点体の外周位置に設けられた、
請求項１記載の可動接点体。
【請求項７】
請求項１記載の可動接点体と、
前記導光部の端部に投光可能な位置に設けられた第１発光素子と、
前記基材の端部に投光可能な位置に設けられた第２発光素子と、
中央固定接点と、前記中央固定接点を囲む外側固定接点とが設けられた面を有し、前記可動接点の外周が前記外側固定接点上に載置され、前記可動接点の中央部が前記中央固定接点と所定の間隙を空けて対向された配線基板と、を備えた、
スイッチ。
【請求項８】
フィルム状の基材と、
前記基材に凹凸状に設けられた発光部と、を含む導光シートと、
前記発光部に対応する位置で、前記導光シートに装着され、ドーム状で弾性を有する金属薄板製の可動接点と、
前記導光シートの前記発光部の配設箇所を除いた位置に設けられた光透過性の導光部と、を備えた、
可動接点体。
【請求項９】
前記導光部は複数の導光部の１つであり、前記複数の導光部同士を連結する光透過性の連結部をさらに有する、
請求項８記載の可動接点体。
【請求項１０】
前記導光部が、
帯状部と、
前記帯状部から突出する凸部と、を有する、
請求項８記載の可動接点体。
【請求項１１】
前記発光部は複数の発光部の１つであり、前記凸部が前記複数の発光部のうち、斜めに隣り合う２つの発光部の間を埋めるように設けられた、
請求項１０記載の可動接点体。
【請求項１２】
前記導光部が前記発光部を囲むように設けられた、
請求項８記載の可動接点体。
【請求項１３】
前記導光部はＬ字形状であり、前記可動接点体の外周位置に設けられた、
請求項８記載の可動接点体。
【請求項１４】
請求項８記載の可動接点体と、
前記導光部の端部に投光可能な位置に設けられた第１発光素子と、
前記基材の端部に投光可能な位置に設けられた第２発光素子と、
中央固定接点と、前記中央固定接点を囲む外側固定接点とが設けられた面を有し、前記可動接点の外周が前記外側固定接点上に載置され、前記可動接点の中央部が前記中央固定接点と所定の間隙を空けて対向された配線基板と、を備えた、
スイッチ。
【発明の詳細な説明】
【技術分野】
【０００１】
本発明は、各種電子機器の操作に使用される可動接点体及びこれを用いたスイッチに関する。
【背景技術】
【０００２】
近年、各種電子機器、特に携帯電話等の携帯端末機器においては、発光ダイオードやＥＬ素子等を発光させて操作部の照光を行うものが増えている。これは、周囲が暗い場合でも、押釦や表示シート等の識別や操作が容易に行えるようにするためである。これらの機器に用いられる可動接点体やスイッチにも、使い易く多様な照光を行えるものが求められている。【０００３】
このような従来の可動接点体やスイッチについて、図９及び図１０を用いて説明する。なお、これらの図面は構成を判り易くするために、部分的に寸法を拡大して表している。図９は従来のスイッチの断面図、図１０は同平面図である。このスイッチは可動接点体６と、配線基板６７と、複数の発光素子６９と、表示シート７０とを有する。【０００４】
可動接点体６は導光シート３と、カバーシート４と、複数の可動接点６５とを有する。導光シート３は基材１と発光部２とを含む。フィルム状の基材１は光透過性である。凹凸状の発光部２は基材１の上面の所定箇所に設けられている。【０００５】
カバーシート４はフィルム状であり、金属薄板製の可動接点６５はドーム状である。カバーシート４は外周の所定箇所で接着剤（図示せず）によって導光シート３の下面に貼付されている。可動接点６５は発光部２の下方でカバーシート４の下面に貼付されている。【０００６】
配線基板６７の上下面には複数の配線パターン（図示せず）が形成されている。配線基板６７の上面には複数の固定接点６８が設けられている。固定接点６８の各々は、略円形状の中央固定接点６８Ａと、これを囲む略馬蹄状または略リング状の外側固定接点６８Ｂから形成されている。【０００７】
各々の可動接点６５の外周が外側固定接点６８Ｂ上に載置され、可動接点６５の下面中央が中央固定接点６８Ａと所定の間隙を空けて対向するようにして、可動接点体６は配線基板６７の上面に貼付されている。【０００８】
発光素子６９は発光ダイオード等で構成されている。複数の発光素子６９は導光シート３の側方で配線基板６７の上面に実装され、基材１の端面に発光面を向けて配置されている。【０００９】
フィルム状の表示シート７０は光透過性である。表示シート７０の下面には、遮光部７０Ａと複数の表示部７０Ｂが形成されている。遮光部７０Ａは印刷等によって形成されている。表示部７０Ｂはそれぞれ遮光部７０Ａの所定箇所を文字や記号等の形状にくり抜くことで形成されている。各表示部７０Ｂは発光部２の上方に配置されている。【００１０】
このように構成されたスイッチは、電子機器の操作面に配されると共に、複数の中央固定接点６８Ａや外側固定接点６８Ｂ、発光素子６９が配線パターン等を介して、機器の電子回路（図示せず）に接続されている。【００１１】
ユーザが表示部７０Ｂのいずれかに対応する位置で表示シート７０を下方へ押圧操作すると、導光シート３やカバーシート４が撓んで可動接点６５のドーム状の中央部が押圧される。所定の押圧力が加わると、可動接点６５がクリック感を伴って下方へ弾性反転し、可動接点６５の下面中央が中央固定接点６８Ａに接触する。この接触によって、中央固定接点６８Ａと外側固定接点６８Ｂとが可動接点６５を介して電気的に接続される。【００１２】
また、ユーザが表示シート７０への押圧力を解除すると、弾性復帰力によって可動接点６５が上方へ弾性反転する。その結果、可動接点６５の下面中央が中央固定接点６８Ａから離れて、中央固定接点６８Ａと外側固定接点６８Ｂが電気的に切断される。このような固定接点６８の電気的接離に応じて、機器の各機能の切換えが行われる。【００１３】
また機器の電子回路から発光素子６９に電源が供給されると、発光素子６９が発光し、この光が端面から導光シート３内に入射して、基材１内を反射しながら内方へ進む。さらに、この光が発光部２で拡散され反射して、表示部７０Ｂを下方から照らす。そのためユーザは、周囲が暗い場合でも、表示部７０Ｂの文字や記号等の表示を識別でき、容易に機器を操作することができる。この種の可動接点体は例えば、特許文献１に開示されている。【００１４】
上記従来の可動接点体６やスイッチにおいては、複数の発光素子６９の光を端面から基材１内に導入し、複数の発光部２を同時に発光させて各表示部７０Ｂを照らす。そのため、照光色が一色のみで同時に照光される。
【特許文献１】特開２００７−８７７４９号公報
【発明の開示】
【００１５】
本発明は、簡易な構成で、多様な照光が可能な可動接点体とそれを用いたスイッチである。本発明の可動接点体は導光シートと、カバーシートと、可動接点と、光透過性の導光部とを有する。導光シートはフィルム状の基材と、この基材に凹凸状に設けられた発光部とを含む。カバーシートは基材と対向して設けられている。金属薄板製の可動接点は、発光部に対応する位置で、カバーシートに装着され、ドーム状で弾性を有する。導光部は、カバーシートにおける、可動接点の配設箇所を除いた位置、または導光シートの発光部の配設箇所を除いた位置に設けられている。なお導光部を導光シートに設ける場合はカバーシートを用いずに可動接点を導光シートに装着してもよい。このいずれかの構成により、発光部の発光に加え、導光部を異なる色や時間差を設けて発光させることなどができる。
【図面の簡単な説明】
【００１６】
【図１】図１は本発明の実施の形態１による可動接点体の断面図である。
【図２】図２は図１に示す可動接点体の平面図である。
【図３】図３は図１に示す可動接点体を用いたスイッチの断面図である。
【図４】図４は本発明の実施の形態１による、他の構成の導光部を有する可動接点体の平面図である。
【図５】図５は本発明の実施の形態１による、さらに他の構成の導光部を有する可動接点体の平面図である。
【図６】図６は本発明の実施の形態１による、さらに他の構成の導光部を有する可動接点体の平面図である。
【図７】図７は本発明の実施の形態１による、さらに他の構成の導光部を有する可動接点体の平面図である。
【図８】図８は本発明の実施の形態２によるスイッチの断面図である。
【図９】図９は従来のスイッチの断面図である。
【図１０】図１０は図９に示すスイッチの平面図である。
【符号の説明】
【００１７】
５    可動接点
７    配線基板
８    固定接点
８Ａ    中央固定接点
８Ｂ    外側固定接点
９Ａ，９Ｂ，９Ｃ，９Ｄ，９Ｅ，９Ｆ，９Ｇ，９Ｈ    発光素子
１０    表示シート
１０Ａ    遮光部
１０Ｂ    表示部
１０Ｃ    透光部
１１    基材
１２，１２Ａ，１２Ｂ，１２Ｃ，１２Ｄ，１２Ｅ    発光部
１３，１３Ａ    導光シート
１４    カバーシート
１５，１５Ａ，１５Ｂ，１５Ｃ，１５Ｄ，４０，４５，５０    導光部
１６    セパレータ
１７，１７Ａ    可動接点体
２０，２０Ａ，２０Ｂ    連結部
３０    凸部
４０Ａ，４０Ｂ    帯状部
【発明を実施するための最良の形態】
【００１８】
以下、本発明の実施の形態について、図面を参照して説明する。なお、これらの図面は構成を判り易くするために、部分的に寸法を拡大して表している。【００１９】
（実施の形態１）
図１は本発明の実施の形態１による可動接点体の断面図、図２は同平面図である。可動接点体１７は導光シート１３と、カバーシート１４と、複数の可動接点５と、複数の導光部１５（１５Ａ、１５Ｂ、１５Ｃ、１５Ｄ等）とを有する。【００２０】
導光シート１３は基材１１と複数の発光部１２とを含む。フィルム状の基材１１は光透過性であり、ポリエチレンテレフタレートやポリカーボネート、ポリウレタン、シリコーン等の可撓性の樹脂で形成されている。凹凸状の発光部１２は基材１１の上面の所定箇所に設けられている。発光部１２としては、例えば、半透明なポリエステルやエポキシ等の材質からなるドット部を集合させて印刷することで形成できる。または成型やレーザー加工によって凹凸状の発光部１２を形成してもよい、さらにはそれらの組み合わせなどであってもよい。なお、発光部１２は、基材１１の下面に形成されていてもよい。【００２１】
カバーシート１４はフィルム状である。可動接点５は銅合金や鋼等の金属薄板製で、ドーム状であり弾性を有する。カバーシート１４は、その外周の所定箇所で接着剤（図示せず）によって導光シート１３の下面に貼付されている。すなわち、カバーシート１４は基材１１と対向して設けられている。複数の可動接点５が複数の発光部１２それぞれに対応した位置でカバーシート１４の下面に貼付されている。すなわち可動接点５はカバーシート１４の、導光シート１３に対向する面と反対側の面に装着されている。【００２２】
光透過性の複数の導光部１５は可動接点５同士の間の、カバーシート１４の上面に配されている。すなわち、導光部１５はカバーシート１４における、可動接点５の配設箇所を除いた位置に設けられている。【００２３】
導光部１５は、基材１１と同じくポリエチレンテレフタレートやポリカーボネート、ポリウレタン、シリコーン等の光透過性のシート材から作製されている。このようなシート材を略帯状形状に加工形成し、その上面または下面を凹凸状にして導光部１５が形成されている。導光部１５はカバーシート１４の上面に接着剤を介して貼り合わせて配置されている。【００２４】
なお、図中では判りやすくするため、接着剤を含めて導光部１５を上面側が凹凸状で形成されている一体部品のように図示している。なお、導光部１５の上面または下面を凹凸状に形成するには、導光シート１３の発光部１２と同様に、半透明なポリエステルやエポキシ等の材質からなるドット部を印刷形成するなどすればよい。【００２５】
図２に示すように、導光部１５Ａは発光部１２Ａと発光部１２Ｂとの間の下方位置に対応して配置されている。以下同様に、導光部１５Ｂは発光部１２Ｂと発光部１２Ｃとの間の下方位置に対応して配置されている。導光部１５Ｃは発光部１２Ｃと発光部１２Ｄとの間の下方位置に対応して配置されている。導光部１５Ｄは発光部１２Ｄと発光部１２Ｅとの間の下方位置に対応して配置されている。【００２６】
このように、複数の可動接点５の配設箇所を除く位置、すなわち可動接点５同士の間の位置に複数の導光部１５が設けられている。すなわち可動接点５の上方には導光部１５が重なることは無く、全体の厚みが増加することが無い。そのため、可動接点５の上方に複数の導光シートや導光部などを重ねて多様な照光をさせる構成のものと比べて、全体の厚みが増加することも無く、厚みを増加させずに多様な照光が可能になる。【００２７】
なお、図１に示すようにカバーシート１４の下面はフィルム状のセパレータ１６で覆われている。セパレータ１６はポリエチレンテレフタレート等で構成されている。セパレータ１６がカバーシート１４下面全面を覆うように貼付されているため、保管時や搬送時に可動接点５下面に塵埃等が付着しない。【００２８】
次に、図２、図３を参照して可動接点体１７を用いたスイッチを説明する。図３は可動接点体１７を用いたスイッチの断面図である。このスイッチは可動接点体１７と、配線基板７と、複数の発光素子９Ａ〜９Ｆと、表示シート１０とを有する。【００２９】
配線基板７はポリエチレンテレフタレートやポリカーボネート等フィルムや、紙フェノールやガラス入りエポキシ等の板で構成されている。配線基板７の上下面には、銅等によって複数の配線パターン（図示せず）が形成されている。また配線基板７の上面にはやカーボン等の導電材料によって複数の固定接点８が設けられている。各固定接点８は略円形状の中央固定接点８Ａと、これを囲む略馬蹄状または略リング状の外側固定接点８Ｂで構成されている。【００３０】
配線基板７の上面には、セパレータ１６を剥離した可動接点体１７が貼付されている。ここで、各可動接点５の外周が、対応する外側固定接点８Ｂ上に載置され、可動接点５の下面中央が中央固定接点８Ａと所定の間隙を空けて、対向するように配置されている。【００３１】
また、発光素子９Ａ〜９Ｆは発光ダイオード等で構成されている。発光素子９Ａ〜９Ｆは導光シート１３の側方で配線基板７の上面に実装されている。具体的には図２に示すように、発光素子９Ａはカバーシート１４上の導光部１５Ａの端面に発光面を向けて配置されている。発光素子９Ｂは導光部１５Ｂの端面に発光面を向けて配置されている。発光素子９Ｃは導光部１５Ｃの端面に発光面を向けて配置されている。発光素子９Ｄは導光部１５Ｄの端面に発光面を向けて配置されている。発光素子９Ｅ、９Ｆは基材１１の端面に発光面を向けて配置されている。発光素子９Ａ〜９Ｄはそれぞれ導光部１５Ａ〜１５Ｄの端部に投光可能な位置に設けられた第１発光素子であり、発光素子９Ｅ、９Ｆは基材１１の端部に投光可能な位置に設けられた第２発光素子である。【００３２】
フィルム状の表示シート１０は光透過性である。表示シート１０の下面には、遮光部１０Ａと、複数の表示部１０Ｂと、複数の透光部１０Ｃとが形成されている。遮光部１０Ａは印刷等によって形成されている。各表示部１０Ｂは遮光部１０Ａの所定箇所を文字や記号等の形状にくり抜くことで形成されている。各表示部１０Ｂは発光部１２の上方に配置されている。各透光部１０Ｃは表示部１０Ｂの間の、遮光部１０Ａの所定箇所をくり抜いて形成されている。透光部１０Ｃはたとえば略帯状に形成されている。このようにしてスイッチが構成されている。なお、表示シート１０の構成は、上述したものに特に限定されない。例えば、表示シート１０を非透光性の樹脂で構成し、その一部をくりぬき、くりぬいた箇所に透明樹脂を埋め込んで透光部１０Ｃに相当する部分を形成してもよい。【００３３】
このように構成されたスイッチは、電子機器の操作面に配されると共に、複数の中央固定接点８Ａや外側固定接点８Ｂ、発光素子９Ａ〜９Ｆが配線パターン等を介して、機器の電子回路（図示せず）に接続される。【００３４】
ユーザが表示部１０Ｂのいずれかの位置で表示シート１０を下方へ押圧操作すると、導光シート１３やカバーシート１４が撓んで可動接点５のドーム状の中央部が押圧される。所定の押圧力が加わると、可動接点５がクリック感を伴って下方へ弾性反転し、可動接点５の下面中央が中央固定接点８Ａに接触する。この接触によって、中央固定接点８Ａと外側固定接点８Ｂが、可動接点５を介して電気的に接続される。【００３５】
なお、可動接点５の中央部の位置に対応させて、導光シート１３とカバーシート１４の間に挟み込むように柱状部（図示せず）をさらに設けてもよい。このような構成にすると、柱状部を介して可動接点５が押圧されるため、操作感触が良好になる。すなわち、柱状部を設けることにより表示シート１０の上面からの押圧力を可動接点５に効率よく伝えることができる。また、柱状部を可動接点５の中央に対応させて配置しているため、押圧箇所と可動接点５の中心とが若干ずれていたとしても、可動接点５が押圧される箇所は常に中央部分になる。そのため、ユーザは良好な感触を得られる。【００３６】
ユーザが表示シート１０への押圧力を解除すると、弾性復帰力によって可動接点５が上方へ弾性反転し、可動接点５の下面中央が中央固定接点８Ａから離れる。そのため、中央固定接点８Ａと外側固定接点８Ｂが電気的に切断される。このような固定接点８の電気的接離に応じて、機器の各機能が切換えられる。【００３７】
次に機器の電子回路から発光素子９Ａ〜９Ｆに電源が供給される場合を説明する。例えば、発光素子９Ｅ、９Ｆに電源が供給され、これらが発光した場合には、この光が基材１１の端面から導光シート１３内に入射して、基材１１内を反射しながら内方へ進む。さらに、この光が基材１１の上面の発光部１２（１２Ａ、１２Ｂ等）で拡散され反射して、これらの上方の表示シート１０の表示部１０Ｂを下方から照らし、複数の表示部１０Ｂが照らされる。そのためユーザは周囲が暗い場合でも、表示部１０Ｂの文字や記号等の表示を識別でき、機器を容易に操作することができる。【００３８】
また、発光素子９Ａが発光した場合には、この光がカバーシート１４の上の導光部１５Ａの端面から入射して、導光部１５Ａ内を反射しながら内方へ進む。そして導光部１５Ａの上面で拡散されて反射し、導光部１５Ａ全体が発光する。この光が基材１１を通り、上方の透光部１０Ｃが下方から照らされる。【００３９】
同様に、発光素子９Ｂが発光した場合には、この光が導光部１５Ｂの端面から入射して導光部１５Ｂ全体が発光する。発光素子９Ｃが発光した場合には、導光部１５Ｃ全体が発光し、発光素子９Ｄが発光した場合には、導光部１５Ｄ全体が発光する。これらの光が基材１１を通って、各導光部の上方の透光部１０Ｃが下方から照らされる。【００４０】
例えば、発光素子９Ｅや発光素子９Ｆの発光色を白色、発光素子９Ａの発光色を青色、発光素子９Ｂを橙色、発光素子９Ｃを緑色としておいてもよい。この場合、発光部１２は白色、導光部１５Ａは青色、導光部１５Ｂは橙色、導光部１５Ｃは緑色に発光する。そのため、表示部１０Ｂは白色、これらの間の透光部１０Ｃが青色、橙色、緑色というように、表示部１０Ｂと列毎の透光部１０Ｃが異なった色で照らされる。【００４１】
あるいは、発光素子９Ａ、９Ｂ、９Ｃの発光色を同じにし、機器の電子回路から発光素子９Ａ〜９Ｆへある程度の時間差を設けて電源を供給させる。このようにすると、まず発光部１２Ａと発光部１２Ｂの間の導光部１５Ａが発光し、次に発光部１２Ｂと発光部１２Ｃの間の導光部１５Ｂが発光する。その次に発光部１２Ｃと発光部１２Ｄの間の導光部１５Ｃが発光する。このように順番に導光部１５Ａ〜１５Ｃ発光し、表示部１０Ｂの間の透光部１０Ｃが列毎に順次照らされる。【００４２】
以上のように、本実施の形態によるスイッチでは、ユーザが表示シート１０を押圧操作すると導光シート１３の上面が押圧され、可動接点５が弾性反転して固定接点８が電気的にオン状態になる。そして、発光素子９Ａ〜９Ｄの光が、導光シート１３とカバーシート１４上の導光部１５Ａ〜１５Ｄの中に端面からそれぞれに導入される。この構成により複数の発光部１２と、これらの間の下方位置に配された導光部１５Ａ〜１５Ｄが発光する。そのため表示シート１０の複数の表示部１０Ｂとこの間の複数の透光部１０Ｃが照らされる。しかも上述のように、複数の表示部１０Ｂの照光に加え、この間の透光部１０Ｃを異なった色で照らすことや、時間差を設けて透光部１０Ｃを順次照らすことなどができる。すなわち、簡易な構成で、複数の表示部１０Ｂと透光部１０Ｃの多様な照光が可能になる。【００４３】
なお、以上の説明では、可動接点５の配設箇所を除くカバーシート１４の上面に、複数の導光部１５を設けた構成について説明した。これ以外に、カバーシート１４が光透過性の場合には、複数の導光部１５をカバーシート１４の下面に設けてもよい。また導光部１５は１つでもよい。【００４４】
また、以上の説明では、導光部１５は可動接点５の間の位置に対応させて設けられ、導光部１５が一定幅の略帯状である例を図示し説明した。しかしながら、導光部１５の形状はそれに限定されることはない。以下、導光部１５の形状のバリエーションについて図４〜図７を参照しながら説明する。図４〜図７は本実施の形態における他の構成の導光部を有する可動接点体の平面図である。【００４５】
図４に示す構成では、導光部１５Ａと導光部１５Ｂとを可動接点５の配設箇所を除く位置で部分的に連結させる連結部２０Ａ（２０）が設けられている。また導光部１５Ｃと導光部１５Ｄとを連結させる連結部２０Ｂ（２０）が設けられている。この構成では、連結部２０Ａも導光部１５Ａ、１５Ｂと同材質で一体形成されているため、連結部２０Ａも光透過性である。そして連結部２０Ａを含む導光部１５Ａ、１５Ｂが同じ発光状態になる。そのため、発光素子９Ａ、９Ｂを同じ発光色で同時に点灯させることが好ましい。これ以外に、発光素子９Ａ、９Ｂが別の色で発光してもよい。なお、そのような発光状態に応じて表示シート１０も適宜、透光部１０Ｃを設定すればよい。導光部１５Ｃ、１５Ｄと連結部２０Ｂ、および発光素子９Ｃ、９Ｄについても同様である。【００４６】
なお図４では、連結部２０は一対の導光部１５に対し１箇所のみ設けられている。これ以外に、一対の導光部１５の間を複数の連結部２０で連結した構成にしてもよい。そして、導光部１５Ａ、１５Ｂに対し、導光部１５Ｃ、１５Ｄを、異なる色やタイミングで発光させるなどとしてもよい。【００４７】
次に図５の構成を説明する。可動接点５の外形は、上面視で円形や長円形などであることが一般的である。そしてこのような形状の可動接点５が行列状態で配置される。一方、発光部１２Ａ〜１２Ｅは可動接点５の位置に対応させて配置される。そのため、発光部１２Ａ〜１２Ｅにおいても斜めに隣り合う部分の距離が大きくなることがある。そこで、例えば図５に示したように複数の帯状の導光部１５Ａ、１５Ｂ、１５Ｃ、１５Ｄ等において、その斜めに隣り合う発光部間を埋める凸部３０を一体に突出形成することが好ましい。つまり、導光部１５の帯状の太さを部分的に変えることが好ましい。このような形状により斜めに隣り合う部分に構成される空間位置を含む広い範囲が導光部で良好に発光される。なお、その太さを変える位置は、上記の位置だけに限られることも無く、必要に応じてその位置や凸部３０の形状は適宜設定すればよい。このように、凸部３０付きの導光部１５とすることにより、発光部１２の設けられていない部分をも照らすことができる。【００４８】
次に図６の構成を説明する。図６に示す構成では、カバーシート１４に設けられた導光部４０が、可動接点５の位置に応じて配置された発光部１２の周囲を取り囲んでいる。さらに、図６に示すように、発光部１２を含む列（図中で上下方向）の３つ分を一体に繋げた構成でもよい。見方を変えると、導光部４０は、図４に示す帯状の導光部１５Ａ、１５Ｂの可動接点５の配設箇所を除く全ての位置に連結部２０を配して連結した形状を有する。この場合、各帯状部４０Ａ、４０Ｂに相当する箇所の端部部分から光がそれぞれ入射されるように、発光素子９Ａ、９Ｂを配置するとよい。そして、それとは別にカバーシート１４の外周位置に直線Ｌ字形状の導光部４５を配してＬ字を構成する角部から発光素子９Ｇの光が入射されるように発光素子９Ｇを配置してもよい。すなわち、導光部４５は可動接点体の外周位置に設けられている。導光部４５が発光すれば、カバーシート１４の外周端部位置まで良好に照らされる。【００４９】
次に図７の構成を説明する。この構成では行列状に配設された発光部１２の各々の周囲を個々に取り囲むように、網目状の導光部５０が設けられている。この構成は、図６に示す構成の派生である。この場合、発光素子９Ａ、９Ｂ、９Ｇ、９Ｈの配置としては全体が均一的な発光状態になる配置が好ましいが、特に限定はされない。【００５０】
以上の説明から判るように、導光部は、可動接点５が配置されている箇所を除いた全ての位置に、長さ、太さや形状などに拘わらず配置することが可能である。さらに、それに対して発光素子を適宜配置することによって、広い範囲でその配設パターンでの照光や、多様な発光などが可能な薄型構成のものに実現できる。なお、表示シート１０はその所望の発光に応じた透光部１０Ｃを有するものを用いたり、透光部１０Ｃを有する他の部材で構成したりしてもよい。また、上記の各導光部は、カバーシート１４の上面側に配する以外に下面に配した構成にすることも可能である。【００５１】
このように本実施の形態では、発光部１２の下方位置に可動接点５が設けられ、可動接点５を設けた位置以外の位置に光透過性の導光部が設けられている。この構成によって、発光部１２が発光することに加え、導光部を異なる色や時間差を設けて発光させることもできる。このように簡易な構成で、多様な照光が可能な可動接点体を作製することができる。【００５２】
（実施の形態２）
以下、図８を参照しながら本発明の実施の形態２について説明する。図８は本発明の実施の形態２によるスイッチの断面図である。なお、実施の形態１の構成と同一構成の部分には同一符号を付して、詳細な説明を省略する。【００５３】
本実施の形態によるスイッチは実施の形態１の図３における可動接点体１７の代わりに可動接点体１７Ａを有する。可動接点体１７Ａは実施の形態１における導光シート１３の代わりに導光シート１３Ａを有する。導光シート１３Ａは基材１１と発光部１２と導光部１５とを有する。すなわち、フィルム状の基材１１の上面の所定箇所に凹凸状の発光部１２が複数設けられていることは導光シート１３と同様である。そして複数の発光部１２の間の基材１１の下面に略帯状で光透過性の複数の導光部１５が設けられている。より詳細には、導光シート１３Ａの、発光部１２の配設箇所を除いた位置に導光部１５が設けられている。このように可動接点体１７Ａでは導光部１５がカバーシート１４の上面ではなく基材１１の下面に設けられている。これ以外の構成は図３に示した実施の形態１と同様である。【００５４】
なお、導光部１５の材質や形成方法は実施の形態１と同じであるため説明は省略する。また、導光部１５の下面は凹凸状に形成されている。図８では導光部１５は貼付用の接着剤まで含めて一体部品のように図示している。これらの特徴も実施の形態１と同じである。そして、導光部１５は一定幅の帯状のものに限定されることはなく、互いに連結されていたり、個々に部分的に太さが変わっていたりしてもよいことも実施の形態１と同じである。【００５５】
なお、基材１１の下面の、発光部１２同士の間の位置に、導光部１５を設ける以外に、基材１１の上面の、発光部１２同士の間の位置に、導光部１５を設けた構成としてもよい。さらに、以上の説明では、下面に複数の可動接点５が貼付されたカバーシート１４を、導光シート１３Ａの下面に貼付した構成について説明した。これ以外に、カバーシート１４をなくし、導光シート１３Ａの下面に複数の可動接点５を直接貼付してもよい。この構成では、構成部品数が減り、可動接点体がより簡易で安価になる。【００５６】
このように本実施の形態の導光シート１３Ａでは、可動接点５の配設箇所となる発光部１２同士の間の位置に光透過性の導光部１５が設けられている。この構成でも、導光シート１３Ａの複数の発光部１２の発光に加え、これらの間の導光部１５を異なる色や時間差を設けて発光させることができる。そのため、実施の形態１と同様に、簡易な構成で多様な照光などが行える可動接点体１７Ａを作製することができる。また本実施の形態においても図４〜図７に示した構成を適用可能である。【００５７】
なお、実施の形態１、２において、光透過性の導光部を、所定材質のフィルム状のシートを所定形状で形成し、これを接着剤等でカバーシート１４や基材１１に貼付したものを説明した。これ以外に、導光部自体を印刷形成して構成してもよい。また、カバーシート１４や基材１１上下面の内方に二色成形等によって、これらとは屈折率の異なる導光部を形成してもよい。これらの作製方法でも本発明の実施は可能である。このような作製方法でも、導光部は連結されたり、部分的に太さが変わっていたりしてもよい。また、それらを色やタイミングなどを変えて発光させたり、または同じ色などで発光させたりしてもよい。
【産業上の利用可能性】
【００５８】
本発明による可動接点体は、簡易な構成で、多様な照光が可能な可動接点体とスイッチを作製できる。これらは各種電子機器の操作用として有用である。
【図１】
2009107344.tif 000003
【図２】
2009107344.tif 000004
【図３】
2009107344.tif 000005
【図４】
2009107344.tif 000006
【図５】
2009107344.tif 000007
【図６】
2009107344.tif 000008
【図７】
2009107344.tif 000009
【図８】
2009107344.tif 000010
【図９】
2009107344.tif 000011
【図１０】
2009107344.tif 000012
【手続補正書】
【提出日】平成21年10月20日(2009.10.20)
【手続補正１】
【補正対象書類名】明細書
【補正対象項目名】全文
【補正方法】変更
【補正の内容】
【発明の詳細な説明】
【技術分野】
【０００１】
本発明は、各種電子機器の操作に使用される可動接点体及びこれを用いたスイッチに関する。
【背景技術】
【０００２】
近年、各種電子機器、特に携帯電話等の携帯端末機器においては、発光ダイオードやＥＬ素子等を発光させて操作部の照光を行うものが増えている。これは、周囲が暗い場合でも、押釦や表示シート等の識別や操作が容易に行えるようにするためである。これらの機器に用いられる可動接点体やスイッチにも、使い易く多様な照光を行えるものが求められている。
【０００３】
このような従来の可動接点体やスイッチについて、図９及び図１０を用いて説明する。なお、これらの図面は構成を判り易くするために、部分的に寸法を拡大して表している。図９は従来のスイッチの断面図、図１０は同平面図である。このスイッチは可動接点体６と、配線基板６７と、複数の発光素子６９と、表示シート７０とを有する。
【０００４】
可動接点体６は導光シート３と、カバーシート４と、複数の可動接点６５とを有する。導光シート３は基材１と発光部２とを含む。フィルム状の基材１は光透過性である。凹凸状の発光部２は基材１の上面の所定箇所に設けられている。
【０００５】
カバーシート４はフィルム状であり、金属薄板製の可動接点６５はドーム状である。カバーシート４は外周の所定箇所で接着剤（図示せず）によって導光シート３の下面に貼付されている。可動接点６５は発光部２の下方でカバーシート４の下面に貼付されている。
【０００６】
配線基板６７の上下面には複数の配線パターン（図示せず）が形成されている。配線基板６７の上面には複数の固定接点６８が設けられている。固定接点６８の各々は、略円形状の中央固定接点６８Ａと、これを囲む略馬蹄状または略リング状の外側固定接点６８Ｂから形成されている。
【０００７】
各々の可動接点６５の外周が外側固定接点６８Ｂ上に載置され、可動接点６５の下面中央が中央固定接点６８Ａと所定の間隙を空けて対向するようにして、可動接点体６は配線基板６７の上面に貼付されている。
【０００８】
発光素子６９は発光ダイオード等で構成されている。複数の発光素子６９は導光シート３の側方で配線基板６７の上面に実装され、基材１の端面に発光面を向けて配置されている。
【０００９】
フィルム状の表示シート７０は光透過性である。表示シート７０の下面には、遮光部７０Ａと複数の表示部７０Ｂが形成されている。遮光部７０Ａは印刷等によって形成されている。表示部７０Ｂはそれぞれ遮光部７０Ａの所定箇所を文字や記号等の形状にくり抜くことで形成されている。各表示部７０Ｂは発光部２の上方に配置されている。
【００１０】
このように構成されたスイッチは、電子機器の操作面に配されると共に、複数の中央固定接点６８Ａや外側固定接点６８Ｂ、発光素子６９が配線パターン等を介して、機器の電子回路（図示せず）に接続されている。
【００１１】
ユーザが表示部７０Ｂのいずれかに対応する位置で表示シート７０を下方へ押圧操作すると、導光シート３やカバーシート４が撓んで可動接点６５のドーム状の中央部が押圧される。所定の押圧力が加わると、可動接点６５がクリック感を伴って下方へ弾性反転し、可動接点６５の下面中央が中央固定接点６８Ａに接触する。この接触によって、中央固定接点６８Ａと外側固定接点６８Ｂとが可動接点６５を介して電気的に接続される。
【００１２】
また、ユーザが表示シート７０への押圧力を解除すると、弾性復帰力によって可動接点６５が上方へ弾性反転する。その結果、可動接点６５の下面中央が中央固定接点６８Ａから離れて、中央固定接点６８Ａと外側固定接点６８Ｂが電気的に切断される。このような固定接点６８の電気的接離に応じて、機器の各機能の切換えが行われる。
【００１３】
また機器の電子回路から発光素子６９に電源が供給されると、発光素子６９が発光し、この光が端面から導光シート３内に入射して、基材１内を反射しながら内方へ進む。さらに、この光が発光部２で拡散され反射して、表示部７０Ｂを下方から照らす。そのためユーザは、周囲が暗い場合でも、表示部７０Ｂの文字や記号等の表示を識別でき、容易に機器を操作することができる。この種の可動接点体は例えば、特許文献１に開示されている。
【００１４】
上記従来の可動接点体６やスイッチにおいては、複数の発光素子６９の光を端面から基材１内に導入し、複数の発光部２を同時に発光させて各表示部７０Ｂを照らす。そのため、照光色が一色のみで同時に照光される。
【先行技術文献】
【特許文献】
【００１５】
【特許文献１】特開２００７−８７７４９号公報
【発明の概要】
【００１６】
本発明は、簡易な構成で、多様な照光が可能な可動接点体とそれを用いたスイッチである。本発明の可動接点体は導光シートと、カバーシートと、可動接点と、光透過性の導光部とを有する。導光シートはフィルム状の基材と、この基材に凹凸状に設けられた発光部とを含む。カバーシートは基材と対向して設けられている。金属薄板製の可動接点は、発光部に対応する位置で、カバーシートに装着され、ドーム状で弾性を有する。導光部は、カバーシートにおける、可動接点の配設箇所を除いた位置、または導光シートの発光部の配設箇所を除いた位置に設けられている。なお導光部を導光シートに設ける場合はカバーシートを用いずに可動接点を導光シートに装着してもよい。このいずれかの構成により、発光部の発光に加え、導光部を異なる色や時間差を設けて発光させることなどができる。
【図面の簡単な説明】
【００１７】
【図１】本発明の実施の形態１による可動接点体の断面図
【図２】図１に示す可動接点体の平面図
【図３】図１に示す可動接点体を用いたスイッチの断面図
【図４】本発明の実施の形態１による、他の構成の導光部を有する可動接点体の平面図
【図５】本発明の実施の形態１による、さらに他の構成の導光部を有する可動接点体の平面図
【図６】本発明の実施の形態１による、さらに他の構成の導光部を有する可動接点体の平面図
【図７】本発明の実施の形態１による、さらに他の構成の導光部を有する可動接点体の平面図
【図８】本発明の実施の形態２によるスイッチの断面図
【図９】従来のスイッチの断面図
【図１０】図９に示すスイッチの平面図
【発明を実施するための形態】
【００１８】
以下、本発明の実施の形態について、図面を参照して説明する。なお、これらの図面は構成を判り易くするために、部分的に寸法を拡大して表している。
【００１９】
（実施の形態１）
図１は本発明の実施の形態１による可動接点体の断面図、図２は同平面図である。可動接点体１７は導光シート１３と、カバーシート１４と、複数の可動接点５と、複数の導光部１５（１５Ａ、１５Ｂ、１５Ｃ、１５Ｄ等）とを有する。
【００２０】
導光シート１３は基材１１と複数の発光部１２とを含む。フィルム状の基材１１は光透過性であり、ポリエチレンテレフタレートやポリカーボネート、ポリウレタン、シリコーン等の可撓性の樹脂で形成されている。凹凸状の発光部１２は基材１１の上面の所定箇所に設けられている。発光部１２としては、例えば、半透明なポリエステルやエポキシ等の材質からなるドット部を集合させて印刷することで形成できる。または成型やレーザー加工によって凹凸状の発光部１２を形成してもよい、さらにはそれらの組み合わせなどであってもよい。なお、発光部１２は、基材１１の下面に形成されていてもよい。
【００２１】
カバーシート１４はフィルム状である。可動接点５は銅合金や鋼等の金属薄板製で、ドーム状であり弾性を有する。カバーシート１４は、その外周の所定箇所で接着剤（図示せず）によって導光シート１３の下面に貼付されている。すなわち、カバーシート１４は基材１１と対向して設けられている。複数の可動接点５が複数の発光部１２それぞれに対応した位置でカバーシート１４の下面に貼付されている。すなわち可動接点５はカバーシート１４の、導光シート１３に対向する面と反対側の面に装着されている。
【００２２】
光透過性の複数の導光部１５は可動接点５同士の間の、カバーシート１４の上面に配されている。すなわち、導光部１５はカバーシート１４における、可動接点５の配設箇所を除いた位置に設けられている。
【００２３】
導光部１５は、基材１１と同じくポリエチレンテレフタレートやポリカーボネート、ポリウレタン、シリコーン等の光透過性のシート材から作製されている。このようなシート材を略帯状形状に加工形成し、その上面または下面を凹凸状にして導光部１５が形成されている。導光部１５はカバーシート１４の上面に接着剤を介して貼り合わせて配置されている。
【００２４】
なお、図中では判りやすくするため、接着剤を含めて導光部１５を上面側が凹凸状で形成されている一体部品のように図示している。なお、導光部１５の上面または下面を凹凸状に形成するには、導光シート１３の発光部１２と同様に、半透明なポリエステルやエポキシ等の材質からなるドット部を印刷形成するなどすればよい。
【００２５】
図２に示すように、導光部１５Ａは発光部１２Ａと発光部１２Ｂとの間の下方位置に対応して配置されている。以下同様に、導光部１５Ｂは発光部１２Ｂと発光部１２Ｃとの間の下方位置に対応して配置されている。導光部１５Ｃは発光部１２Ｃと発光部１２Ｄとの間の下方位置に対応して配置されている。導光部１５Ｄは発光部１２Ｄと発光部１２Ｅとの間の下方位置に対応して配置されている。
【００２６】
このように、複数の可動接点５の配設箇所を除く位置、すなわち可動接点５同士の間の位置に複数の導光部１５が設けられている。すなわち可動接点５の上方には導光部１５が重なることは無く、全体の厚みが増加することが無い。そのため、可動接点５の上方に複数の導光シートや導光部などを重ねて多様な照光をさせる構成のものと比べて、全体の厚みが増加することも無く、厚みを増加させずに多様な照光が可能になる。
【００２７】
なお、図１に示すようにカバーシート１４の下面はフィルム状のセパレータ１６で覆われている。セパレータ１６はポリエチレンテレフタレート等で構成されている。セパレータ１６がカバーシート１４下面全面を覆うように貼付されているため、保管時や搬送時に可動接点５下面に塵埃等が付着しない。
【００２８】
次に、図２、図３を参照して可動接点体１７を用いたスイッチを説明する。図３は可動接点体１７を用いたスイッチの断面図である。このスイッチは可動接点体１７と、配線基板７と、複数の発光素子９Ａ〜９Ｆと、表示シート１０とを有する。
【００２９】
配線基板７はポリエチレンテレフタレートやポリカーボネート等フィルムや、紙フェノールやガラス入りエポキシ等の板で構成されている。配線基板７の上下面には、銅等によって複数の配線パターン（図示せず）が形成されている。また配線基板７の上面にはやカーボン等の導電材料によって複数の固定接点８が設けられている。各固定接点８は略円形状の中央固定接点８Ａと、これを囲む略馬蹄状または略リング状の外側固定接点８Ｂで構成されている。
【００３０】
配線基板７の上面には、セパレータ１６を剥離した可動接点体１７が貼付されている。ここで、各可動接点５の外周が、対応する外側固定接点８Ｂ上に載置され、可動接点５の下面中央が中央固定接点８Ａと所定の間隙を空けて、対向するように配置されている。
【００３１】
また、発光素子９Ａ〜９Ｆは発光ダイオード等で構成されている。発光素子９Ａ〜９Ｆは導光シート１３の側方で配線基板７の上面に実装されている。具体的には図２に示すように、発光素子９Ａはカバーシート１４上の導光部１５Ａの端面に発光面を向けて配置されている。発光素子９Ｂは導光部１５Ｂの端面に発光面を向けて配置されている。発光素子９Ｃは導光部１５Ｃの端面に発光面を向けて配置されている。発光素子９Ｄは導光部１５Ｄの端面に発光面を向けて配置されている。発光素子９Ｅ、９Ｆは基材１１の端面に発光面を向けて配置されている。発光素子９Ａ〜９Ｄはそれぞれ導光部１５Ａ〜１５Ｄの端部に投光可能な位置に設けられた第１発光素子であり、発光素子９Ｅ、９Ｆは基材１１の端部に投光可能な位置に設けられた第２発光素子である。
【００３２】
フィルム状の表示シート１０は光透過性である。表示シート１０の下面には、遮光部１０Ａと、複数の表示部１０Ｂと、複数の透光部１０Ｃとが形成されている。遮光部１０Ａは印刷等によって形成されている。各表示部１０Ｂは遮光部１０Ａの所定箇所を文字や記号等の形状にくり抜くことで形成されている。各表示部１０Ｂは発光部１２の上方に配置されている。各透光部１０Ｃは表示部１０Ｂの間の、遮光部１０Ａの所定箇所をくり抜いて形成されている。透光部１０Ｃはたとえば略帯状に形成されている。このようにしてスイッチが構成されている。なお、表示シート１０の構成は、上述したものに特に限定されない。例えば、表示シート１０を非透光性の樹脂で構成し、その一部をくりぬき、くりぬいた箇所に透明樹脂を埋め込んで透光部１０Ｃに相当する部分を形成してもよい。
【００３３】
このように構成されたスイッチは、電子機器の操作面に配されると共に、複数の中央固定接点８Ａや外側固定接点８Ｂ、発光素子９Ａ〜９Ｆが配線パターン等を介して、機器の電子回路（図示せず）に接続される。
【００３４】
ユーザが表示部１０Ｂのいずれかの位置で表示シート１０を下方へ押圧操作すると、導光シート１３やカバーシート１４が撓んで可動接点５のドーム状の中央部が押圧される。所定の押圧力が加わると、可動接点５がクリック感を伴って下方へ弾性反転し、可動接点５の下面中央が中央固定接点８Ａに接触する。この接触によって、中央固定接点８Ａと外側固定接点８Ｂが、可動接点５を介して電気的に接続される。
【００３５】
なお、可動接点５の中央部の位置に対応させて、導光シート１３とカバーシート１４の間に挟み込むように柱状部（図示せず）をさらに設けてもよい。このような構成にすると、柱状部を介して可動接点５が押圧されるため、操作感触が良好になる。すなわち、柱状部を設けることにより表示シート１０の上面からの押圧力を可動接点５に効率よく伝えることができる。また、柱状部を可動接点５の中央に対応させて配置しているため、押圧箇所と可動接点５の中心とが若干ずれていたとしても、可動接点５が押圧される箇所は常に中央部分になる。そのため、ユーザは良好な感触を得られる。
【００３６】
ユーザが表示シート１０への押圧力を解除すると、弾性復帰力によって可動接点５が上方へ弾性反転し、可動接点５の下面中央が中央固定接点８Ａから離れる。そのため、中央固定接点８Ａと外側固定接点８Ｂが電気的に切断される。このような固定接点８の電気的接離に応じて、機器の各機能が切換えられる。
【００３７】
次に機器の電子回路から発光素子９Ａ〜９Ｆに電源が供給される場合を説明する。例えば、発光素子９Ｅ、９Ｆに電源が供給され、これらが発光した場合には、この光が基材１１の端面から導光シート１３内に入射して、基材１１内を反射しながら内方へ進む。さらに、この光が基材１１の上面の発光部１２（１２Ａ、１２Ｂ等）で拡散され反射して、これらの上方の表示シート１０の表示部１０Ｂを下方から照らし、複数の表示部１０Ｂが照らされる。そのためユーザは周囲が暗い場合でも、表示部１０Ｂの文字や記号等の表示を識別でき、機器を容易に操作することができる。
【００３８】
また、発光素子９Ａが発光した場合には、この光がカバーシート１４の上の導光部１５Ａの端面から入射して、導光部１５Ａ内を反射しながら内方へ進む。そして導光部１５Ａの上面で拡散されて反射し、導光部１５Ａ全体が発光する。この光が基材１１を通り、上方の透光部１０Ｃが下方から照らされる。
【００３９】
同様に、発光素子９Ｂが発光した場合には、この光が導光部１５Ｂの端面から入射して導光部１５Ｂ全体が発光する。発光素子９Ｃが発光した場合には、導光部１５Ｃ全体が発光し、発光素子９Ｄが発光した場合には、導光部１５Ｄ全体が発光する。これらの光が基材１１を通って、各導光部の上方の透光部１０Ｃが下方から照らされる。
【００４０】
例えば、発光素子９Ｅや発光素子９Ｆの発光色を白色、発光素子９Ａの発光色を青色、発光素子９Ｂを橙色、発光素子９Ｃを緑色としておいてもよい。この場合、発光部１２は白色、導光部１５Ａは青色、導光部１５Ｂは橙色、導光部１５Ｃは緑色に発光する。そのため、表示部１０Ｂは白色、これらの間の透光部１０Ｃが青色、橙色、緑色というように、表示部１０Ｂと列毎の透光部１０Ｃが異なった色で照らされる。
【００４１】
あるいは、発光素子９Ａ、９Ｂ、９Ｃの発光色を同じにし、機器の電子回路から発光素子９Ａ〜９Ｆへある程度の時間差を設けて電源を供給させる。このようにすると、まず発光部１２Ａと発光部１２Ｂの間の導光部１５Ａが発光し、次に発光部１２Ｂと発光部１２Ｃの間の導光部１５Ｂが発光する。その次に発光部１２Ｃと発光部１２Ｄの間の導光部１５Ｃが発光する。このように順番に導光部１５Ａ〜１５Ｃ発光し、表示部１０Ｂの間の透光部１０Ｃが列毎に順次照らされる。
【００４２】
以上のように、本実施の形態によるスイッチでは、ユーザが表示シート１０を押圧操作すると導光シート１３の上面が押圧され、可動接点５が弾性反転して固定接点８が電気的にオン状態になる。そして、発光素子９Ａ〜９Ｄの光が、導光シート１３とカバーシート１４上の導光部１５Ａ〜１５Ｄの中に端面からそれぞれに導入される。この構成により複数の発光部１２と、これらの間の下方位置に配された導光部１５Ａ〜１５Ｄが発光する。そのため表示シート１０の複数の表示部１０Ｂとこの間の複数の透光部１０Ｃが照らされる。しかも上述のように、複数の表示部１０Ｂの照光に加え、この間の透光部１０Ｃを異なった色で照らすことや、時間差を設けて透光部１０Ｃを順次照らすことなどができる。すなわち、簡易な構成で、複数の表示部１０Ｂと透光部１０Ｃの多様な照光が可能になる。
【００４３】
なお、以上の説明では、可動接点５の配設箇所を除くカバーシート１４の上面に、複数の導光部１５を設けた構成について説明した。これ以外に、カバーシート１４が光透過性の場合には、複数の導光部１５をカバーシート１４の下面に設けてもよい。また導光部１５は１つでもよい。
【００４４】
また、以上の説明では、導光部１５は可動接点５の間の位置に対応させて設けられ、導光部１５が一定幅の略帯状である例を図示し説明した。しかしながら、導光部１５の形状はそれに限定されることはない。以下、導光部１５の形状のバリエーションについて図４〜図７を参照しながら説明する。図４〜図７は本実施の形態における他の構成の導光部を有する可動接点体の平面図である。
【００４５】
図４に示す構成では、導光部１５Ａと導光部１５Ｂとを可動接点５の配設箇所を除く位置で部分的に連結させる連結部２０Ａ（２０）が設けられている。また導光部１５Ｃと導光部１５Ｄとを連結させる連結部２０Ｂ（２０）が設けられている。この構成では、連結部２０Ａも導光部１５Ａ、１５Ｂと同材質で一体形成されているため、連結部２０Ａも光透過性である。そして連結部２０Ａを含む導光部１５Ａ、１５Ｂが同じ発光状態になる。そのため、発光素子９Ａ、９Ｂを同じ発光色で同時に点灯させることが好ましい。これ以外に、発光素子９Ａ、９Ｂが別の色で発光してもよい。なお、そのような発光状態に応じて表示シート１０も適宜、透光部１０Ｃを設定すればよい。導光部１５Ｃ、１５Ｄと連結部２０Ｂ、および発光素子９Ｃ、９Ｄについても同様である。
【００４６】
なお図４では、連結部２０は一対の導光部１５に対し１箇所のみ設けられている。これ以外に、一対の導光部１５の間を複数の連結部２０で連結した構成にしてもよい。そして、導光部１５Ａ、１５Ｂに対し、導光部１５Ｃ、１５Ｄを、異なる色やタイミングで発光させるなどとしてもよい。
【００４７】
次に図５の構成を説明する。可動接点５の外形は、上面視で円形や長円形などであることが一般的である。そしてこのような形状の可動接点５が行列状態で配置される。一方、発光部１２Ａ〜１２Ｅは可動接点５の位置に対応させて配置される。そのため、発光部１２Ａ〜１２Ｅにおいても斜めに隣り合う部分の距離が大きくなることがある。そこで、例えば図５に示したように複数の帯状の導光部１５Ａ、１５Ｂ、１５Ｃ、１５Ｄ等において、その斜めに隣り合う発光部間を埋める凸部３０を一体に突出形成することが好ましい。つまり、導光部１５の帯状の太さを部分的に変えることが好ましい。このような形状により斜めに隣り合う部分に構成される空間位置を含む広い範囲が導光部で良好に発光される。なお、その太さを変える位置は、上記の位置だけに限られることも無く、必要に応じてその位置や凸部３０の形状は適宜設定すればよい。このように、凸部３０付きの導光部１５とすることにより、発光部１２の設けられていない部分をも照らすことができる。
【００４８】
次に図６の構成を説明する。図６に示す構成では、カバーシート１４に設けられた導光部４０が、可動接点５の位置に応じて配置された発光部１２の周囲を取り囲んでいる。さらに、図６に示すように、発光部１２を含む列（図中で上下方向）の３つ分を一体に繋げた構成でもよい。見方を変えると、導光部４０は、図４に示す帯状の導光部１５Ａ、１５Ｂの可動接点５の配設箇所を除く全ての位置に連結部２０を配して連結した形状を有する。この場合、各帯状部４０Ａ、４０Ｂに相当する箇所の端部部分から光がそれぞれ入射されるように、発光素子９Ａ、９Ｂを配置するとよい。そして、それとは別にカバーシート１４の外周位置に直線Ｌ字形状の導光部４５を配してＬ字を構成する角部から発光素子９Ｇの光が入射されるように発光素子９Ｇを配置してもよい。すなわち、導光部４５は可動接点体の外周位置に設けられている。導光部４５が発光すれば、カバーシート１４の外周端部位置まで良好に照らされる。
【００４９】
次に図７の構成を説明する。この構成では行列状に配設された発光部１２の各々の周囲を個々に取り囲むように、網目状の導光部５０が設けられている。この構成は、図６に示す構成の派生である。この場合、発光素子９Ａ、９Ｂ、９Ｇ、９Ｈの配置としては全体が均一的な発光状態になる配置が好ましいが、特に限定はされない。
【００５０】
以上の説明から判るように、導光部は、可動接点５が配置されている箇所を除いた全ての位置に、長さ、太さや形状などに拘わらず配置することが可能である。さらに、それに対して発光素子を適宜配置することによって、広い範囲でその配設パターンでの照光や、多様な発光などが可能な薄型構成のものに実現できる。なお、表示シート１０はその所望の発光に応じた透光部１０Ｃを有するものを用いたり、透光部１０Ｃを有する他の部材で構成したりしてもよい。また、上記の各導光部は、カバーシート１４の上面側に配する以外に下面に配した構成にすることも可能である。
【００５１】
このように本実施の形態では、発光部１２の下方位置に可動接点５が設けられ、可動接点５を設けた位置以外の位置に光透過性の導光部が設けられている。この構成によって、発光部１２が発光することに加え、導光部を異なる色や時間差を設けて発光させることもできる。このように簡易な構成で、多様な照光が可能な可動接点体を作製することができる。
【００５２】
（実施の形態２）
以下、図８を参照しながら本発明の実施の形態２について説明する。図８は本発明の実施の形態２によるスイッチの断面図である。なお、実施の形態１の構成と同一構成の部分には同一符号を付して、詳細な説明を省略する。
【００５３】
本実施の形態によるスイッチは実施の形態１の図３における可動接点体１７の代わりに可動接点体１７Ａを有する。可動接点体１７Ａは実施の形態１における導光シート１３の代わりに導光シート１３Ａを有する。導光シート１３Ａは基材１１と発光部１２と導光部１５とを有する。すなわち、フィルム状の基材１１の上面の所定箇所に凹凸状の発光部１２が複数設けられていることは導光シート１３と同様である。そして複数の発光部１２の間の基材１１の下面に略帯状で光透過性の複数の導光部１５が設けられている。より詳細には、導光シート１３Ａの、発光部１２の配設箇所を除いた位置に導光部１５が設けられている。このように可動接点体１７Ａでは導光部１５がカバーシート１４の上面ではなく基材１１の下面に設けられている。これ以外の構成は図３に示した実施の形態１と同様である。
【００５４】
なお、導光部１５の材質や形成方法は実施の形態１と同じであるため説明は省略する。また、導光部１５の下面は凹凸状に形成されている。図８では導光部１５は貼付用の接着剤まで含めて一体部品のように図示している。これらの特徴も実施の形態１と同じである。そして、導光部１５は一定幅の帯状のものに限定されることはなく、互いに連結されていたり、個々に部分的に太さが変わっていたりしてもよいことも実施の形態１と同じである。
【００５５】
なお、基材１１の下面の、発光部１２同士の間の位置に、導光部１５を設ける以外に、基材１１の上面の、発光部１２同士の間の位置に、導光部１５を設けた構成としてもよい。さらに、以上の説明では、下面に複数の可動接点５が貼付されたカバーシート１４を、導光シート１３Ａの下面に貼付した構成について説明した。これ以外に、カバーシート１４をなくし、導光シート１３Ａの下面に複数の可動接点５を直接貼付してもよい。この構成では、構成部品数が減り、可動接点体がより簡易で安価になる。
【００５６】
このように本実施の形態の導光シート１３Ａでは、可動接点５の配設箇所となる発光部１２同士の間の位置に光透過性の導光部１５が設けられている。この構成でも、導光シート１３Ａの複数の発光部１２の発光に加え、これらの間の導光部１５を異なる色や時間差を設けて発光させることができる。そのため、実施の形態１と同様に、簡易な構成で多様な照光などが行える可動接点体１７Ａを作製することができる。また本実施の形態においても図４〜図７に示した構成を適用可能である。
【００５７】
なお、実施の形態１、２において、光透過性の導光部を、所定材質のフィルム状のシートを所定形状で形成し、これを接着剤等でカバーシート１４や基材１１に貼付したものを説明した。これ以外に、導光部自体を印刷形成して構成してもよい。また、カバーシート１４や基材１１上下面の内方に二色成形等によって、これらとは屈折率の異なる導光部を形成してもよい。これらの作製方法でも本発明の実施は可能である。このような作製方法でも、導光部は連結されたり、部分的に太さが変わっていたりしてもよい。また、それらを色やタイミングなどを変えて発光させたり、または同じ色などで発光させたりしてもよい。
【産業上の利用可能性】
【００５８】
本発明による可動接点体は、簡易な構成で、多様な照光が可能な可動接点体とスイッチを作製できる。これらは各種電子機器の操作用として有用である。
【符号の説明】
【００５９】
５    可動接点
７    配線基板
８    固定接点
８Ａ    中央固定接点
８Ｂ    外側固定接点
９Ａ，９Ｂ，９Ｃ，９Ｄ，９Ｅ，９Ｆ，９Ｇ，９Ｈ    発光素子
１０    表示シート
１０Ａ    遮光部
１０Ｂ    表示部
１０Ｃ    透光部
１１    基材
１２，１２Ａ，１２Ｂ，１２Ｃ，１２Ｄ，１２Ｅ    発光部
１３，１３Ａ    導光シート
１４    カバーシート
１５，１５Ａ，１５Ｂ，１５Ｃ，１５Ｄ，４０，４５，５０    導光部
１６    セパレータ
１７，１７Ａ    可動接点体
２０，２０Ａ，２０Ｂ    連結部
３０    凸部
４０Ａ，４０Ｂ    帯状部
【手続補正２】
【補正対象書類名】特許請求の範囲
【補正対象項目名】全文
【補正方法】変更
【補正の内容】
【特許請求の範囲】
【請求項１】
フィルム状の基材と、
前記基材に凹凸状に設けられた発光部と、を含む導光シートと、
前記基材と対向して設けられたカバーシートと、
前記発光部に対応する位置で、前記カバーシートに装着され、ドーム状で弾性を有する金属薄板製の可動接点と、
前記カバーシートにおける、前記可動接点の配設箇所を除いた位置、または前記導光シートの前記発光部の配設箇所を除いた位置に設けられた光透過性の導光部と、を備えた、
可動接点体。
【請求項２】
前記導光部は複数の導光部の１つであり、前記複数の導光部同士を連結する光透過性の連結部をさらに有する、
請求項１記載の可動接点体。
【請求項３】
前記導光部が、
帯状部と、
前記帯状部から突出する凸部と、を有する、
請求項１記載の可動接点体。
【請求項４】
前記発光部は複数の発光部の１つであり、前記凸部が前記複数の発光部のうち、斜めに隣り合う２つの発光部の間を埋めるように設けられた、
請求項３記載の可動接点体。
【請求項５】
前記導光部が前記発光部を囲むように設けられた、
請求項１記載の可動接点体。
【請求項６】
前記導光部はＬ字形状であり、前記可動接点体の外周位置に設けられた、
請求項１記載の可動接点体。
【請求項７】
請求項１記載の可動接点体と、
前記導光部の端部に投光可能な位置に設けられた第１発光素子と、
前記基材の端部に投光可能な位置に設けられた第２発光素子と、
中央固定接点と、前記中央固定接点を囲む外側固定接点とが設けられた面を有し、前記可動接点の外周が前記外側固定接点上に載置され、前記可動接点の中央部が前記中央固定接点と所定の間隙を空けて対向された配線基板と、を備えた、
スイッチ。
【請求項８】
フィルム状の基材と、
前記基材に凹凸状に設けられた発光部と、を含む導光シートと、
前記発光部に対応する位置で、前記導光シートに装着され、ドーム状で弾性を有する金属薄板製の可動接点と、
前記導光シートの前記発光部の配設箇所を除いた位置に設けられた光透過性の導光部と、を備えた、
可動接点体。
【請求項９】
前記導光部は複数の導光部の１つであり、前記複数の導光部同士を連結する光透過性の連結部をさらに有する、
請求項８記載の可動接点体。
【請求項１０】
前記導光部が、
帯状部と、
前記帯状部から突出する凸部と、を有する、
請求項８記載の可動接点体。
【請求項１１】
前記発光部は複数の発光部の１つであり、前記凸部が前記複数の発光部のうち、斜めに隣り合う２つの発光部の間を埋めるように設けられた、
請求項１０記載の可動接点体。
【請求項１２】
前記導光部が前記発光部を囲むように設けられた、
請求項８記載の可動接点体。
【請求項１３】
前記導光部はＬ字形状であり、前記可動接点体の外周位置に設けられた、
請求項８記載の可動接点体。
【請求項１４】
請求項８記載の可動接点体と、
前記導光部の端部に投光可能な位置に設けられた第１発光素子と、
前記基材の端部に投光可能な位置に設けられた第２発光素子と、
中央固定接点と、前記中央固定接点を囲む外側固定接点とが設けられた面を有し、前記可動接点の外周が前記外側固定接点上に載置され、前記可動接点の中央部が前記中央固定接点と所定の間隙を空けて対向された配線基板と、を備えた、
スイッチ。
【手続補正３】
【補正対象書類名】図面
【補正対象項目名】全図
【補正方法】変更
【補正の内容】
【図１】
2009107344.tif 000013
【図２】
2009107344.tif 000014
【図３】
2009107344.tif 000015
【図４】
2009107344.tif 000016
【図５】
2009107344.tif 000017
【図６】
2009107344.tif 000018
【図７】
2009107344.tif 000019
【図８】
2009107344.tif 000020
【図９】
2009107344.tif 000021
【図１０】
2009107344.tif 000022
【国際調査報告】
2009107344.tif 000023
2009107344.tif 000024
2009107344.tif 000025
2009107344.tif 000026